(57)【要約】【課題】絶縁電線の損傷部を隙間なく補修する作業を簡易かつ確実に行なうことが可能な絶縁電線補修技術を提供する。【解決手段】絶縁電線２５の絶縁被覆２５ａに生じた損傷部２６を覆うように熱融着性を有する補修用被覆材２０をあてがい、この補修用被覆材２０に発熱体を押し付けて該補修用被覆材２０を絶縁被覆２５ａに融着させる。絶縁電線２５の絶縁被覆２５ａに生じた損傷部２６に対して融解された補修材を塗布し、しかる後に塗布された補修材を整形して凝固させるようにしても、絶縁電線２５の絶縁被覆２５ａに生じた損傷部２６を覆うようにカバー部材を装着してこのカバー部材と絶縁被覆との間に損傷部を内包する閉空間を形成し、この閉空間に融解された補修材を充填させて凝固させるようにしてもよい。【選択図】      図６
2008099391.tif 000002
【特許請求の範囲】
【請求項１】
絶縁電線の絶縁被覆に生じた損傷部を覆うように熱融着性を有する補修用被覆材をあてがい、この補修用被覆材に発熱体を押し付けて該補修用被覆材を前記絶縁被覆に融着させることを特徴とする絶縁電線補修方法。
【請求項２】
絶縁電線の絶縁被覆に生じた損傷部に対して融解された補修材を塗布し、しかる後に塗布された補修材を整形して凝固させることを特徴とする絶縁電線補修方法。
【請求項３】
絶縁電線の絶縁被覆に生じた損傷部を覆うようにカバー部材を装着してこのカバー部材と前記絶縁被覆との間に前記損傷部を内包する閉空間を形成し、この閉空間に融解された補修材を充填させて凝固させることを特徴とする絶縁電線補修方法。
【請求項４】
回転動力を伝達する絶縁棒の先端部に装着可能な継手部と、前記継手部を介して前記回転動力が伝達され、この回転動力を電流に変換する電流生成部と、
前記電流生成部で生成された電流により発熱する発熱素子が収容され、前記発熱素子から発せられる熱が伝達される表面を絶縁電線の絶縁被覆に生じた損傷部にあてがわれた熱融着性を有する補修用被覆材に押し当て可能なヘッド部とを有して構成されることを特徴とする絶縁電線の補修工具。
【請求項５】
回転動力を伝達する絶縁棒の先端部に装着可能な継手部と、
装填された補修材を前記回転動力を利用して押し出す押し出し手段と、
前記押し出し手段で押し出される補修材に熱をかけて溶融させる溶融手段と
を具備することを特徴とする絶縁電線の補修工具。
【請求項６】
絶縁電線の表面に着脱自在に装着されて該絶縁電線との間に閉空間を形成するカバー部材をさらに備えたことを特徴とする請求項５記載の補修工具。
【発明の詳細な説明】
【技術分野】
【０００１】
本発明は、電力線や通信線などの絶縁電線の絶縁被覆に生じた損傷部を簡易かつ確実に修復することが可能な絶縁電線補修方法及びこれに用いる補修工具に関する。
【背景技術】
【０００２】
例えば、高低圧絶縁電線は、電気設備技術基準の規定に従い、樹木と接触しないように充分な離隔を確保しなければならない。しかし、絶縁電線が樹木等と接触した場合には、樹木等と絶縁電線との擦れによる絶縁被覆の損傷が生じ、充電部（電線の芯線）が露出することがある。この状態を放置しておくと、雨水の浸入で銅線が錆びて断線したり、放電して地絡したりするおそれがある。このため、露出した充電部を絶縁するために損傷部分に粘着性のポリエチレンテープなどでテーピング（絶縁処理）を施したり、補修用カバーを取り付けるなどの補修作業を行なうようにしている。
【０００３】
具体的には、例えば特許文献１に示されるような活線用テープ巻付け工具を用いて、電線の補修箇所に自己融着テープを間接活線工法により巻き付けたり、特許文献２に示されるように、補修用カバーをヒンジを介して開閉自在に連結された一対のカバー部材により構成し、このカバー部材を係着部材を介して係着自在にして間接活線把持工具により挟持せしめつつ電線に取り付ける方法等が考えられている。
【特許文献１】特開平８−２７５３２４号公報
【特許文献２】特開平２００４−３２０９６１号公報
【発明の開示】
【発明が解決しようとする課題】
【０００４】
しかしながら、損傷箇所にテーピングを間接活線作業にて行う場合には手間がかかり、また、テープ間に隙間ができやすくなるので、その部分から水が浸入し、劣化しやすくなる。また、架線のテーピングは架線が安定している為、作業性がそれほど悪くはないが、縁線や引下線の電線を補修する作業は、電線が安定していないため作業性が悪くなる。
【０００５】
また、補修用カバーにあっても、挟持部分の径が電線径に対応したものでなければ絶縁電線との間に隙間が生じるため、電線の径に合せた補修用カバーを電線の種類毎に用意しなければならず、また、隙間が生じないようにライニングを施す必要がある。
【０００６】
本発明は係る事情に鑑みてなされたものであり、絶縁電線の損傷部を隙間なく補修する作業を簡易かつ確実に行なうことが可能な絶縁電線補修方法とその方法に用いる補修工具を提供することを主たる課題としている。
【課題を解決するための手段】
【０００７】
上記課題を達成するために、この発明に係る絶縁電線補修方法は、絶縁電線の絶縁被覆に生じた損傷部を覆うように熱融着性を有する補修用被覆材をあてがい、この補修用被覆材に発熱体を押し付けて該補修用被覆材を前記絶縁被覆に融着させることを特徴としている。
【０００８】
したがって、絶縁電線の損傷部を補修する作業においては、補修用被覆材を絶縁電線の損傷部にあてがい、あてがった補修用被覆材に発熱体を押し付けて補修用被覆材を絶縁被覆に融着させれば損傷箇所の補修が完了するので、補修作業を簡易に行なうことが可能となる。また、補修用被覆材に熱を加えて融着させるので、補修用被覆材と絶縁被覆との間に隙間が生じにくくなる。
【０００９】
このような補修方法に用いる補修工具としては、例えば、回転動力を伝達する絶縁棒の先端部に装着可能な継手部と、前記継手部を介して前記回転動力が伝達され、この回転動力を電流に変換する電流生成部と、前記電流生成部で生成された電流により発熱する発熱素子が収容され、前記発熱素子から発せられる熱が伝達される表面を絶縁電線の絶縁被覆に生じた損傷部にあてがわれた熱融着性を有する補修用被覆材に押し当て可能なヘッド部とを有して構成するとよい。
【００１０】
このような構成においては、絶縁棒の先端部に継手部を装着し、絶縁棒から回転動力を与えれば、電流生成部により電流が発生し、この電流が発熱素子に流れて発熱する。これにより、ヘッド部の表面が温められるので、このヘッド部の表面を絶縁電線の損傷部を覆うようにあてがわれた補修用被覆材に押し当てることで補修用被覆材を絶縁電線の絶縁被覆に融着させることができる。
【００１１】
ここで、補修用被覆材は、湾曲状に形成された絶縁シートで構成しても、ヤットコ等を用いて損傷部にあてがうために、表面に被把持部を設けるようにしてもよい。この被把持部は、ネジ切り可能とし、ヘッド部を補修用被覆材に押し付ける際の邪魔になるような場合には除去するとよい。また、絶縁被覆材を、絶縁電線の表面にあてがう融着層と、絶縁被覆層との二層構造に構成するようにしてもよい。
また、ヘッド部は、絶縁電線の径よりも大きい曲率半径を有する弧状面を有するように形成しても、ローラ状に形成するようにしてもよい。
【００１２】
本発明に係る絶縁電線補修方法は、絶縁電線の絶縁被覆に生じた損傷部に対して融解された補修材を塗布し、しかる後に塗布された補修材を整形して凝固させるようにしてもよい。
【００１３】
したがって、絶縁電線の損傷部を補修する作業においては、融解した補修材を絶縁電線の損傷部に塗布し、その後、コテなどで塗布した補修材を整形し、常温で放置することにより又は積極的に冷却することにより凝固させれば、損傷箇所の補修が完了するので、補修作業を簡易に行なうことが可能となる。また、融解した補修材を塗布する形式であるので、補修用被覆材と絶縁被覆との間に隙間が生じにくくなる。
【００１４】
このような補修方法に用いる補修工具としては、例えば、回転動力を伝達する絶縁棒の先端部に装着可能な継手部と、装填された補修材を前記回転動力を利用して押し出す押し出し手段と、前記押し出し手段で押し出される補修材に熱をかけて溶融させる溶融手段とを具備するするとよい。
【００１５】
このような補修工具によれば、押し出し手段によって押し出される補修材が溶融手段によって溶融されるので、この溶融された補修材を絶縁電線の損傷部に塗布すればよい。
【００１６】
また、本発明に係る絶縁電線補修方法は、絶縁電線の絶縁被覆に生じた損傷部を覆うようにカバー部材を装着してこのカバー部材と前記絶縁被覆との間に前記損傷部を内包する閉空間を形成し、この閉空間に融解された補修材を充填させて凝固させるようにしてもよい。
【００１７】
したがって、絶縁電線の損傷部を補修する作業においては、絶縁電線に損傷部を覆うようにカバー部材を装着して絶縁被覆とカバー部材との間に閉空間を形成し、しかる後に、この閉空間に融解された補修材を閉空間に充填させ、この補修材を常温で放置することにより又は積極的に冷却することによって凝固させれば補修作業が完了するので、補修作業を簡易に行なうことが可能となる。また、融解した補修材を閉空間に充填させるので、補修用被覆材と絶縁被覆との間に隙間が生じにくくなる。
【００１８】
このような補修方法に用いる補修工具としては、例えば、回転動力を伝達する絶縁棒の先端部に装着可能な継手部と、装填された補修材を前記回転動力を利用して押し出す押し出し手段と、前記押し出し手段で押し出される補修材に熱をかけて溶融させる溶融手段とを備えた前記構成に対して、絶縁電線の表面に着脱自在に装着されて該絶縁電線との間に閉空間を形成するカバー部材をさらに具備するとよい。
【００１９】
このような補修工具によれば、絶縁棒の先端部に継手部を装着し、損傷部を覆うようにカバー部材を絶縁電線に取り付け、溶融手段によって装填された補修材を溶融し、この溶解された補修材を閉空間に充填させればよい。
【発明の効果】
【００２０】
以上述べたように、本発明によれば、絶縁電線の絶縁被覆に生じた損傷部を覆うように熱融着性を有する補修用被覆材をあてがい、この補修用被覆材に発熱体を押し付けて該補修用被覆材を前記絶縁被覆に融着させることにより、又は、絶縁電線の絶縁被覆に生じた損傷部に対して融解された補修材を塗布し、しかる後に塗布された補修材を整形して凝固させることにより、又は、絶縁電線の絶縁被覆に生じた損傷部を覆うようにカバー部材を前記絶縁電線に装着してこのカバー部材と絶縁被覆との間に前記損傷部を内包する閉空間を形成し、この閉空間に融解された補修材を充填させて凝固させることにより、絶縁被覆に生じた損傷部の補修を行なうので、隙間のない補修を簡易かつ確実に行なうことが可能になる。
【００２１】
特に、架線のみならず、縁線や引下線などの安定していない電線を補修する作業においても、発熱体の押し付け作業、溶融された補修材の塗布作業や充填作業は、比較的作業動作が少なくて済むため、容易に行なうことができる。このため、補修作業を簡易滑かつ迅速に行なうことが可能となる。
【００２２】
また、発熱体の押し付け作業、溶融された補修材の塗布作業や充填作業は、電線の大きさに依存しないので、どのような種類の電線の補修にも対応することが可能となる。
【発明を実施するための最良の形態】
【００２３】
以下、本発明の最良の実施形態を添付図面を参照しながら説明する。
【００２４】
図１において、本発明に係る補修工具の第１の実施形態が示され、補修工具１は、間接作業に用いる２軸回転操作棒と称される絶縁操作棒２と、その先端部に装着可能な発熱先端工具３とを有して構成されている。
【００２５】
絶縁操作棒２は、それ自体公知のもので、図２に示されるように、回転操作用のハンドル４が装着された絶縁棒５と、この絶縁棒５の軸方向上方に並設された２本の絶縁棒６，７と、これら絶縁棒６，７よりも更に上方に位置する先端金具８とを有して構成されている。
【００２６】
ハンドル４よりも上側に位置する絶縁棒５の内部には、図示しないが、ハンドル４の回転を絶縁棒６に伝達するための伝達機構が収納されている。これにより、絶縁棒６は、ハンドル４を回すと回転することになる。これに対し、絶縁棒７は、絶縁棒６に保持具９，１０を介して所定の間隔に固定され、ハンドル４を回しても回転しないようになっている。
【００２７】
先端金具８は、絶縁棒６の上端に設けられ、上方に開放する筒状に形成されており、内部に後述する発熱先端工具３の連結軸を装着する装着孔８ａが形成され、この装着孔８ａに連結軸を嵌合させることで、絶縁棒６の回転を先端工具に伝達する構造となっている。
尚、３０は、先端金具８に装着された先端工具の脱落を防止するための締め付け器具である。
【００２８】
発熱先端工具３は、図３に示されるように、操作棒２の先端金具８に接続される継手部１１と、絶縁棒６の回転動力が継手部１１を介して伝達され、この回転動力を電流に変換する電流生成部１２と、この電流生成部１２で発生した電流により発熱する電熱線１３が収容されたヘッド部１４とを有して構成されている。
【００２９】
このうち、継手部１１は、例えば六角柱形状の連結軸１５とこの連結軸１５の側方を覆う筒状部１６とを有して構成され、連結部１５を操作棒２の先端金具８の装着孔８ａに挿入した後、締め付け器具３０で筒状部１６を締め付けることで発熱先端工具３の絶縁操作棒２への装着が行なわれる。
【００３０】
また、電流生成部１２は、回転動力を電流に変換する機器である発電モータ１７を収容した収容ケース１８を継手部１１の上方に一体的に形成して構成されており、連結軸１５に発電モータ１７の回転軸１７ａを連結し、発電モータ１７を回転させることで生成された電流を端子１７ｂから取り出すことができるようになっている。
【００３１】
ヘッド部１４は、モータ収容ケース１８から上方へ延設された対をなすアーム１８ａに回動自在に支持されているもので、熱伝導性を有する素材で全体が円弧状に形成され、内部にアーム１８ａ間を渡すように電熱線１３が埋設されている。この電熱線１３により発熱素子が、また、ヘッド部１４により発熱素子を収容した発熱体が構成されている。
【００３２】
そして、電熱線１３は、その両端部がヘッド部１４の軸支部分やアーム１８ａを介して適宜配設されたリード線１９により発電モータ１７の端子１７ｂに電気的に接続されており、発電モータ１７で生成された電流が供給されると発熱するようになっている。ここで、電熱線１３は、ヘッド部１４の内側面１４ａ（絶縁電線に対峙させる側面）に熱が効果的に伝達される位置に配置されており、この例においては、ヘッド部１４の略中央に１本設けた例が示されているが、アーム１９ａ間に複数並設するようにしても、また、ヘッド部１４内の全体に張り巡らすよう、渦状や蛇行状に配設するようにしてもよい。尚、ヘッド部１４の内側面１４ａは、補修する可能性があるいずれの絶縁電線にも対応できるように、最も大きい絶縁電線の径よりも曲率半径を大きくした湾曲面に形成されている。
【００３３】
図４及び図５に補修用被覆材２０の例が示されている。この補修用被覆材２０は、ポリエステル系熱可塑性エラストマー等の熱融着性を有する合成樹脂材からなるシート状のもので、絶縁電線にあてがわれる側に向かって丸みを持たせた形状に形成され、外側面には、所定間隔ごとにヤットコ２１等により把持可能に突設された被把持部２２が設けられている。そして、この補修用被覆材２０は、図４の破線に示されるように、被把持部２２を含む適宜な大きさに切り取って用いられ、被把持部２２をヤットコ２１等で把持して絶縁電線の外周面にあてがわれる。尚、被把持部２２は、ヤットコ等で捻ると容易にねじ切れる程度の強度に形成されている。
【００３４】
次に、上述した補修工具１と補修用被覆材２０を用いて絶縁電線の絶縁被覆に生じた損傷部を間接活線作業により補修する方法について説明する。
先ず、絶縁電線の絶縁被覆に生じた損傷部を覆うことができる程度の大きさに補修用被覆材２０を被把持部２２を含むように切り取る。その際、損傷部の大きさにもよるが、被把持部２２を補修用被覆材２０の長手方向の一方端寄りにずらした位置となるように切り取るとよい。
【００３５】
その後、図６（ａ）に示されるように、切り取った補修用被覆材２０をヤットコ２１で被把持部２２をつまみ、絶縁電線２５の絶縁被覆２５ａに生じた損傷部２６を覆うように、湾曲した内側面を絶縁電線２５にあてがう。
【００３６】
次に、補修工具１のハンドル４を回して発電モータ１７を回転させ、これにより生成された電流により電熱線１３を発熱させてヘッド部１４を加熱する。そして、図６（ｂ）に示されるように、ヤットコ２１で被把持部２２をつまんだ補修用被覆材２０を絶縁被覆２５ａの損傷部２６にあてがった状態を保持しつつ、補修工具１のヘッド部１４の内側面１４ａを補修用被覆材２０の被把持部２２が設けられていない側の端部から押し当てる。これにより、ヘッド部１４から伝達される熱により補修用被覆材２０が絶縁電線２５の絶縁被覆２５ａに融着されることになる。
【００３７】
その後、ヤットコ２１を捻って被把持部２２をネジ切り、補修用被覆材２０の起状をなくす。そして、図６（ｃ）に示されるように、融着されていない側（被把持部２２が設けられていた側）にヘッド部１４を移動させて内側面１４ａを押し当て、この部分を絶縁電線２５の絶縁被覆２５ａに融着させる。これで、補修用被覆材２０は、絶縁被覆２５ａの損傷部２６の周囲全体に亘って溶着されることになる。
【００３８】
このように、絶縁電線２５の損傷部２６を補修する作業においては、絶縁電線２５の損傷部２６にあてがわれた補修用被覆材２０にヘッド部１４からなる発熱体を押し付けて補修用被覆材２０を絶縁被覆２５ａに融着させれば補修作業が完了するので、従来のテーピングを施す場合のように間接活線工具を縦横に何度も大きく動かす必要がなくなり、補修作業を簡易に行なうことが可能となる。また、発熱体を補修用被覆材２０に押し付けて、この補修用被覆材２０を絶縁電線２５の絶縁被覆２５ａに融着させるので、補修用被覆材２０と絶縁被覆２５ａとの間に隙間が生じにくくなる。このため、絶縁電線の損傷部に対する隙間のない補修を簡易かつ確実に行なうことが可能となる。
【００３９】
尚、補修用被覆材２０は、図５（ｂ）に示されるように略均一な厚みで構成するようにしても、図７に示すように、周縁が溶着されやすいように、周縁に向かうにつれて肉薄に形成するようにしてもよい。
【００４０】
また、図８に示されるように、補修用被覆材２０を絶縁電線の表面にあてがう融着層２７とその外側を覆う絶縁被覆層２８との２層構造とし、融着層２７の融点を絶縁被覆層２８の融点より低くするようにしてもよい。このような構成においては、内側の融着層２７が損傷部２６にフィットしやすくなるように波形状に形成するようにしてもよい。
【００４１】
図９に補修工具１の他の構成例が示されている。この補修工具１は、２軸回転操作棒と称される前述した既存の絶縁操作棒２と、その先端部に装着可能な補修材押出工具３１とにより構成されている。
【００４２】
補修材押出工具３１は、絶縁操作棒２の先端金具８に接続される継手部１１と、絶縁棒６の回転動力が継手部１１の連結軸１５を介して伝達され、連結軸１５の回転によりホットメルト型の補修材３２を受ける受板３３を昇降させ、補修材３２を押し出す補修材押し出し部３４と、この補修材押し出し部３４の先端開口部に設けられ、補修材３２を溶融させる溶融部３５とを有して構成されている。
【００４３】
補修材押し出し部３４は、例えば、補修材３２を受ける受板３３を送りねじ機構によって進退動させるもので、送りねじ３６が連結軸１５に連結され、回転動力を受けるようになっている。また、溶融部３５は、例えば、補修材昇降部３４の先端開口部に図示しない電熱線を設け、この電熱線を絶縁操作棒２などに設けられたバッテリー３７により発熱させるようにしてもよい。この溶融部３５により装填された補修材３２に熱をかけて溶融させる溶融手段が構成され、また、送りねじ機構によって受板３３を昇降させる機構により補修材３２を押し出す押し出し手段が構成されている。
尚、他の構成は、前記構成例と同様であるので、同一箇所に同一符号を付して説明を省略する。
【００４４】
以上の構成において、上述した補修工具１を用いて絶縁電線の絶縁被覆に生じた損傷部を間接活線作業により補修する方法について説明すると、先ず、溶融部３５を加熱し、充填された補修材３２を溶融可能な状態にする。そして、図１０（ａ）に示されるように、絶縁電線２５の絶縁被覆２５ａに生じた損傷部２６に溶融部３５を近づけ、ハンドル４を回して受板３３を上昇させ、溶融された補修材３２を押し出して損傷部２６に塗布する。その後、塗布された補修材３２を、操作棒２の先端に取り付けられたコテ状の先端工具３８などで凝固する前に整形し、整形した後に凝固させる（図１０（ｂ））。これにより、補修材３２が絶縁電線２５の絶縁被覆２５ａに形成された損傷部２６を埋めるように付設され、隙間なく絶縁被覆２５ａに固着される（図１０（ｃ））。
【００４５】
このような補修作業においては、溶融された補修材３２を絶縁電線２５の損傷部２６に塗布して整形させれば補修作業が完了するので、テーピングを施す作業に比べて補修作業を簡易に行なうことが可能となる。
したがって、上述した補修方法によれば、絶縁電線２５の損傷部２６を隙間なく補修する作業を簡易かつ確実に行なうことが可能となる。
【００４６】
図１１に補修工具１の更に他の構成例が示されている。この補修工具１は、図９で示す補修材押出工具３１に対して、絶縁電線２５の外表面に着脱自在に装着して該絶縁電線２５との間に閉空間を形成するカバー部材４０をさらに設けたものである。
【００４７】
このカバー部材４０は、絶縁電線２５の径よりも幾分狭い間隔で対峙し、絶縁電線２５の外周面に軸方向で当接する線状辺４０ａと、これら線状辺４０ａの両端部を連接し、絶縁電線２５の外周面に周方向で当接する弧状辺４０ｂとを有して構成された開口部４１を有しているもので、カバー部材４０の開口部４１を絶縁電線２５の外周面に嵌合させてカバー部材４０を絶縁電線２５に外装させることで、カバー部材４０の線状辺４０ａと弧状辺４０ｂとが絶縁電線２５の外周面に当接し、絶縁電線２５との間に閉空間４２（図１２に示す）を形成するようにしている。
尚、他の構成は、前記構成例と同様であるので、同一箇所に同一符号を付して説明を省略する。
【００４８】
このような補修工具１を用いて絶縁電線２５の絶縁被覆２５ａに生じた損傷部２６を間接活線作業により補修する方法について説明すると、先ず、溶融部３５を加熱し、充填された補修材３２を溶融可能な状態にする。そして、図１２（ａ）に示されるように、損傷部２６を覆うようにカバー部材４０を絶縁電線２５に嵌め付け、損傷部２６の周囲にカバー部材４０で囲まれた閉空間４２を形成する。その後、絶縁操作棒２のハンドル４を回して補修材３２を押し出しつつ溶融部によって溶融し、図１２（ｂ）に示されるように、この融着された補修材３２を閉空間４２に充電する。そして、その状態を保持して充填した補修材３２を凝固させ、カバー部材４０を絶縁電線２５から取り外せば、補修材３２が絶縁電線２５の損傷部２６を埋めるように被覆され、隙間なく絶縁被覆２５ａに固着される。
【００４９】
このような補修作業においては、溶融された補修材３２を損傷部２６の周囲の閉空間４２に充填すれば補修作業が完了するので、テーピングを施す作業に比べて補修作業を簡易に行なうことが可能となる。したがって、このような補修方法によれば、絶縁電線２５の損傷部２６を隙間なく補修する作業を簡易かつ確実に行なうことが可能となる。
【００５０】
尚、上述で示した補修用被覆材の熱融着作業、補修材の損傷部への塗布作業や充填作業は、絶縁電線２５の損傷部２６を補修する際に選択的に使い分けるようにしても、また適宜組み合わせて用いるようにしてもよい。また、上述の構成においては、補修工具に用いる絶縁操作棒として２軸回転操作棒を用いた場合を示したが、１軸回転操作棒を用いて同様の構成としてもよい。
【図面の簡単な説明】
【００５１】
【図１】図１は、本発明にかかる補修工具の構成例を示す図であり、（ａ）はその側面図、（ｂ）はその背面図を示す。
【図２】図２は、補修工具に用いられる絶縁操作棒を示す図である。
【図３】図３は、補修工具に用いられる発熱先端工具を示す斜視図である。
【図４】図４は、補修用被覆材の例を示す斜視図である。
【図５】図５は、図４で示す補修用被覆材の一部を切り取った状態を示す図であり、（ａ）はその使用態様を示す斜視図であり、（ｂ）はその側面図である。
【図６】図６は、図１で示す補修工具を用いて絶縁電線を補修する工程を説明する図である。
【図７】図７は、補修用被覆材の他の構成例を示す側面図である。
【図８】図８は、補修用被覆材のさらに他の構成例を示す断面図である。
【図９】図９は、補修工具に用いられる補修材押出工具を示す図であり、（ａ）はその一部切欠きの断面図、（ｂ）は（ａ）の補修材押出工具を絶縁操作棒に取り付けた状態を示す図面である。
【図１０】図１０は、図９で示す補修工具を用いて絶縁電線を補修する工程を説明する図である。
【図１１】図１１は、補修工具に用いられる他の補修材押出工具を示す図であり、（ａ）はその一部切欠きの断面図、（ｂ）は（ａ）の補修材押出工具を絶縁操作棒に取り付けた状態を示す図面である。
【図１２】図１２は、図１１で示す補修工具を用いて絶縁電線を補修する工程を説明する図である。
【符号の説明】
【００５２】
１  補修工具
１１  継手部
１２  電流生成部
１３  電熱線
１４  ヘッド部
２５  絶縁電線
２５ａ  絶縁被覆
２６  損傷部
２０  補修用被覆材
３２  補修材
３４  補修材押し出し部
３５  溶融部
４０  カバー部材
４２  閉空間
【図１】
2008099391.tif 000003
【図２】
2008099391.tif 000004
【図３】
2008099391.tif 000005
【図４】
2008099391.tif 000006
【図５】
2008099391.tif 000007
【図６】
2008099391.tif 000008
【図７】
2008099391.tif 000009
【図８】
2008099391.tif 000010
【図９】
2008099391.tif 000011
【図１０】
2008099391.tif 000012
【図１１】
2008099391.tif 000013
【図１２】
2008099391.tif 000014